(57)【特許請求の範囲】
【請求項１】
患者の紹介元となる紹介元医療機関の紹介元端末と、患者の受入先となる受入先医療機関の受入先端末と、患者が使用する患者端末と、通信回線網を介して接続された、患者の紹介を仲介する仲介装置において、
紹介患者の識別情報、紹介患者および患者病状に関する患者情報、紹介元医療機関の紹介元情報、患者受入を申し出た受入先医療機関の受入先情報が対応づけて管理された仲介データベースと、
前記紹介元端末から、紹介元情報および紹介患者の患者情報を受け付け、紹介患者の識別情報を生成し、前記仲介データベースに、紹介患者の識別情報、紹介元情報および患者情報を記録し、前記紹介元端末へ紹介患者の識別情報を送信する紹介受付手段と、
受入先情報を送信してきた前記受入先端末へ、前記仲介データベースに記録されている紹介患者の識別情報および患者情報を送信し、該受入先端末から、受入申出の対象となる紹介患者の識別情報を受け付け、前記仲介データベースの該当する紹介患者の識別情報に対応づけて受入先情報を記録する申出受付手段と、
前記患者端末から、紹介患者の識別情報を受け付け、前記仲介データベースを参照し、該紹介患者の識別情報に対応づけられた受入先情報を特定し、特定した受入先情報を該患者端末へ送信する患者確認手段と、
を備えたことを特徴とする仲介装置。
【請求項２】
前記仲介データベースには、さらに、患者が受入先医療機関に受入を希望する旨を示す本人希望情報が管理され、
前記患者確認手段は、さらに、前記患者端末から、受入を希望する本人希望情報を受け付け、前記仲介データベースに、前記特定した受入先情報に対応づけて該本人希望情報を記録し、
さらに、
前記紹介元端末から、紹介元情報を受け付けると、前記仲介データベースを参照し、受け付けた紹介元情報に対応する紹介患者の識別情報を前記紹介元端末へ送信し、かつ、該紹介患者の識別情報に対応づけられて記録された受入先情報または本人希望情報が存在する場合は、該受入先情報または該本人希望情報を併せて送信する状況閲覧手段
を備えたことを特徴とする請求項１記載の仲介装置。
【請求項３】
前記仲介データベースには、さらに、前記紹介元医療機関が決定した最終的な受入先医療機関を示す決定情報が管理され、
前記状況閲覧手段は、さらに、前記紹介元端末から、最終的な受入先医療機関を示す決定情報を受け付け、前記仲介データベースに、紹介患者の識別情報に対応づけて該決定情報を記録し、該仲介データベースの該紹介患者の識別情報に対応づけられた情報に基づき、該紹介患者に関する紹介状を作成し、最終的な受入先医療機関へ送信することを特徴とする請求項２記載の仲介装置。
【請求項４】
患者の紹介元となる複数の紹介元医療機関の紹介元端末と、患者の受入先となる受入先医療機関の受入先端末と、患者が使用する患者端末との間で、通信回線を介して、患者の紹介を仲介する仲介方法において、
コンピュータが、
紹介元情報および紹介患者の患者および患者病状に関する患者情報を前記紹介元端末から受け付けた際に生成された該紹介患者の識別情報を、前記患者端末から受け付けるステップと、
紹介患者の識別情報、患者情報、紹介元情報、患者受入を申し出た受入先医療機関の受入先端末から受け付けた際に生成された該紹介患者の識別情報を、前記患者端末から受け付けた受入先情報が対応づけられて管理された仲介データベースを参照し、前記患者端末から受け付けた紹介患者の識別情報に対応づけられた受入先情報を、該患者端末へ特定した受入先情報を送信するステップと、
前記患者端末から、受入を希望する本人希望情報を受け付け、前記仲介データベースで、前記特定した受入先情報に対応づけて該本人希望情報を記録するステップと
を備えたことを特徴とする仲介方法。
【発明の詳細な説明】
【０００１】
【発明の属する技術分野】
本発明は、病院、診療所、療養施設などの医療機関相互間における紹介患者の仲介を行う紹介患者仲介システム、紹介患者仲介サーバ、紹介患者仲介プログラムおよび紹介患者仲介方法に関する。
【０００２】
【従来の技術】
従来、例えば、中小病院で治療中の患者を、より専門的な治療が可能な大病院へ紹介したり、あるいは大病院で専門的な治療を行った後に、中小病院や療養施設などに患者を紹介したりするなどのように、病院、診療所、療養施設などの医療機関相互間において患者を紹介することが広く行われている。すなわち、診療所や中小病院などに通院、あるいは入院中の患者について、標榜科以外の病名が判明した場合や、より高度の治療機器や検査機器が必要になったような場合は、大学病院や国立の専門病院などへの患者紹介を行うのが普通であり、また、大病院で専門的な治療を行った後に、療養のための入院や、一般的な治療のみに移行する場合には、患者の自宅により近い中小病院や診療所などに患者を紹介するのが普通である。
【０００３】
近年は、このような大病院と、地域に点在する中小病院や診療所などとの間における医療業務の分業化を推進するために、医師が患者紹介を行うことが奨励されており、医師が患者の紹介を行った場合や、紹介患者の比率が高い医療機関に対しては、特別に診療報酬が加算される。
【０００４】
従来、紹介元の医療機関から紹介先の医療機関へ患者紹介を行うためには、紹介元の医療機関の医師が、患者の氏名、傷病名、症状の経過、検査結果等を記載した紹介状を作成し、それをＦＡＸ等で紹介先の医療機関の医師等に送信している。
【０００５】
紹介状を受け取った紹介先の医療機関では、担当科の医師が受入可能かどうかを判断し、判断の結果を電話やＦＡＸ等で紹介元医療機関の医師等に回答する。
【０００６】
紹介先の医療機関から受入不可である旨の回答を受け取った場合は、紹介元医療機関では他の受入先医療機関を探さなければならず、また、回答が戻って来ない場合には、紹介先の医療機関に電話等で問い合わせる等の作業が必要である。
【０００７】
医療機関に受け入れる紹介患者の比率を高め、また高額な医療機器や検査機器の稼働率を上げるためために、紹介患者を積極的に受け入れる意向のある医療機関側では、自らの医療機関宛の紹介状用紙を多量に作成して他の医療機関に配布したり、インターネット上にホームページを掲載したりして、紹介患者の受入に関する情報を広く公開することにより紹介患者の獲得を進めようとしている。
【０００８】
【発明が解決しようとする課題】
しかし、紹介元の医療機関から紹介先の医療機関に紹介状を送った結果、受入不可との回答を受けた場合や回答が戻って来ない場合などには、すぐに他の受入先医療機関を探さなければならず、相当の時間と手間を要するという問題がある。
【０００９】
また、紹介状をＦＡＸで送信する場合に、送信先のＦＡＸ番号を誤って送信した場合には、それだけで患者情報が第三者に漏洩する恐れがある。
【００１０】
また、紹介先の医療機関の適切な担当者の手元に紹介状が届いているかどうかについて電話で確認する等の作業が必要になることもある。
【００１１】
さらに、紹介先の医療機関を決めるに際し、その医療機関が紹介患者の受入を行っているか、専門の医師がいるか、過去に同じ病名についての治療実績があるか、必要な治療機器や検査機器を備えているか等の情報を入手するには、紹介先の医療機関に問い合わせたり、インターネットのホームページを詳細に検索しなければならない。特に、患者が遠隔地に転居した場合等には、このような情報を入手することは一層困難になる。
【００１２】
これらのことから、紹介患者の受入医療機関における紹介患者比率を高めるためには、紹介状の作成、配布や紹介患者受入情報発信のためのコストの上昇が避けられない。
【００１３】
本発明は、上記事情に鑑み、紹介元医療機関から受入先医療機関に迅速かつ低コストで患者を紹介することのできる紹介患者仲介システム、紹介患者仲介サーバ、紹介患者仲介プログラムおよび紹介患者仲介方法を提供することを目的とする。
【００１４】
【課題を解決するための手段】
上記目的を達成する本発明の紹介患者仲介システムは、
患者の紹介元となる複数の紹介元医療機関にそれぞれ配備された複数の紹介元クライアントマシンと、
紹介患者の受入先となる複数の受入先医療機関にそれぞれ配備された複数の受入先クライアントマシンと、
上記複数の紹介元クライアントマシンおよび上記複数の受入先クライアントマシンに通信回線網を介して接続された、患者の紹介を仲介する紹介患者仲介サーバとを有し、
上記紹介患者仲介サーバは、
上記紹介元クライアントマシンから送信されてきた、他の医療機関への紹介を希望する紹介希望患者に関する紹介希望患者情報を受け付ける紹介希望患者情報受付部と、
上記紹介希望患者情報受付部により受け付けられた紹介希望患者情報を受入先クライアントマシンに対して公開する紹介希望患者情報公開部と、
上記受入先クライアントマシンから送信されてきた、公開された紹介希望患者情報に記述された患者の中から受入を希望する受入希望患者を指定した受入希望患者情報を受け付ける受入希望患者情報受付部と、
上記受入希望患者情報受付部により受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知部とを備え、
上記複数の紹介元クライアントマシンそれぞれは、
操作に応じて、他の医療機関への紹介を希望する紹介希望患者に関する紹介希望患者情報を作成して上記紹介患者仲介サーバに送信する紹介希望患者情報作成部と、
上記紹介患者仲介サーバから送信されてきた、自分の紹介希望患者に関する上記受入希望患者情報を受け付ける受入希望患者情報受付部とを備え、
上記複数の受入先クライアントマシンそれぞれは、
上記紹介患者仲介サーバから送信されてきた紹介希望患者情報を受け付ける紹介希望患者情報受付部と、
上記紹介希望患者情報受付部により受け付けられた紹介希望患者情報に記述された患者の中から受入を希望する受入希望患者を操作に応じて指定することにより受入希望患者情報を作成して上記紹介患者仲介サーバに送信する受入希望患者情報作成部とを備えたことを特徴とする。
【００１５】
また、上記目的を達成する本発明の紹介患者仲介サーバは、
通信回線網を介して、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバにおいて、
上記紹介元クライアントマシンから送信されてきた、他の医療機関への紹介を希望する紹介希望患者に関する紹介希望患者情報を受け付ける紹介希望患者情報受付部と、
上記紹介希望患者情報受付部により受け付けられた紹介希望患者情報を受入先クライアントマシンに対して公開する紹介希望患者情報公開部と、
上記受入先クライアントマシンから送信されてきた、公開された紹介希望患者情報に記述された患者の中から受入を希望する受入希望患者を指定した受入希望患者情報を受け付ける受入希望患者情報受付部と、
上記受入希望患者情報受付部により受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知部とを備えたことを特徴とする。
【００１６】
また、上記目的を達成する本発明の紹介患者仲介プログラムは、
通信回線網に接続されたコンピュータを、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作させる紹介患者仲介プログラムであって、
コンピュータを、
上記紹介元クライアントマシンから送信されてきた、他の医療機関への紹介を希望する紹介希望患者に関する紹介希望患者情報を受け付ける紹介希望患者情報受付手段と、
上記紹介希望患者情報受付手段により受け付けられた紹介希望患者情報を受入先クライアントマシンに対して公開する紹介希望患者情報公開手段と、
上記受入先クライアントマシンから送信されてきた、公開された紹介希望患者情報に記述された患者の中から受入を希望する受入希望患者を指定した受入希望患者情報を受け付ける受入希望患者情報受付手段と、
上記受入希望患者情報受付手段により受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知手段として動作させるものであることを特徴とする。
また、上記目的を達成する本発明の紹介患者仲介方法は、
通信回線網に接続された、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作するコンピュータが、
上記紹介元クライアントマシンから送信されてきた、他の医療機関への紹介を希望する紹介希望患者に関する紹介希望患者情報を受け付ける紹介希望患者情報受付ステップと、
上記紹介希望患者情報受付ステップにより受け付けられた紹介希望患者情報を受入先クライアントマシンに対して公開する紹介希望患者情報公開ステップと、
上記受入先クライアントマシンから送信されてきた、公開された紹介希望患者情報に記述された患者の中から受入を希望する受入希望患者を指定した受入希望患者情報を受け付ける受入希望患者情報受付ステップと、
上記受入希望患者情報受付ステップにより受け付けられた受入希望患者情報を、上記複数の紹介元クライアントマシンのうちの、その受入希望患者情報に記述された患者を紹介希望患者とする紹介希望患者情報を送信してきていた紹介元クライアントマシンに向けて通知する受入希望患者情報通知ステップと
を実行することを特徴とする。
【００１７】
【発明の実施の形態】
以下、本発明の実施形態について説明する。
【００１８】
先ず、本実施形態の紹介患者仲介システムのハードウエア構成について説明する。
【００１９】
図１は、本実施形態の紹介患者仲介システムを運用するためのコンピュータシステムの一部分を示す図である。
【００２０】
ここには、それぞれがコンピュータシステムで構成された１台のサーバマシン１００および３台のクライアントマシン３００，４００，５００が例示的に示されており、サーバマシン１００およびクライアントマシン３００，４００，５００は通信回線網６００を介して相互に接続されている。
【００２１】
サーバマシン１００および各クライアントマシン３００，４００，５００を構成するコンピュータシステムとしては、一般にワークステーションまたはパーソナルコンピュータと呼ばれるコンピュータシステムを用いることができる。
【００２２】
サーバマシン１００および各クライアントマシン３００，４００，５００は、ＣＰＵ（中央処理装置）、ＲＡＭ（ランダムアクセスメモリ）、ハードディスク、通信用ボード等が内蔵された本体部１０１，３０１，４０１，５０１、本体部１０１，３０１，４０１，５０１からの指示により表示画面１０２ａ，３０２ａ，４０２ａ，５０２ａ上に画像や文字列を表示する表示部１０２，３０２，４０２，５０２、サーバマシン１００およびクライアントマシン３００，４００，５００に利用者の指示を入力するためのキーボード１０３，３０３，４０３，５０３、表示画面１０２ａ，３０２ａ，４０２ａ，５０２ａ上の任意の位置を指定することにより、その指定時にその位置に表示されていたアイコン等に応じた指示を入力するマウス１０４，３０４，４０４，５０４を備えている。
【００２３】
本体部１０１は、さらに外観上、フロッピィディスク（図示せず）、ＣＤ−ＲＯＭ７００が装填されるフロッピィディスク装填口１０１ａ、ＣＤ−ＲＯＭ装填口１０１ｂを有しており、それらの内部には、それらの装填口１０１ａ、１０１ｂから装填されたフロッピィディスクやＣＤ−ＲＯＭ７００をドライブしてアクセスするフロッピィディスクドライバやＣＤ−ＲＯＭドライバも内蔵されている。
【００２４】
同様に、本体部３０１，４０１，５０１は、外観上、フロッピィディスク（図示せず）、ＣＤ−ＲＯＭ７００が装填されるフロッピィディスク装填口３０１ａ，４０１ａ，５０１ａ、ＣＤ−ＲＯＭ装填口３０１ｂ，４０１ｂ，５０１ｂを有しており、それらの内部には、それらの装填口３０１ａ，４０１ａ，５０１ａ，３０１ｂ，４０１ｂ，５０１ｂから装填されたフロッピィディスクやＣＤ−ＲＯＭ７００をドライブしてアクセスするフロッピィディスクドライバ、ＣＤ−ＲＯＭドライバも内蔵されている。
【００２５】
図２は、図１に示した外観を有する紹介患者仲介システム（コンピュータシステム）のハードウェア構成図である。
【００２６】
このハードウェア構成図には、ＣＰＵ１１１、ＲＡＭ１１２、ハードディスクコントローラ１１３、フロッピィディスクドライバ１１４、ＣＤ−ＲＯＭドライバ１１５、マウスコントローラ１１６、キーボードコントローラ１１７、ディスプレイコントローラ１１８、および通信用ボード１１９が示されており、それらはバス１１０で相互に接続されている。
【００２７】
フロッピィディスクドライバ１１４、ＣＤ−ＲＯＭドライバ１１５は、図１を参照して説明したように、それぞれフロッピィディスク装填口１０１ａおよびＣＤ−ＲＯＭ装填口１０１ｂから装填されたフロッピィディスク７１０、ＣＤ−ＲＯＭ７００をアクセスするものである。
【００２８】
通信用ボード１１９は通信回線網６００に接続される。
【００２９】
また、図２には、ハードディスクコントローラ１１３によりアクセスされるハードディスク１２０、マウスコントローラ１１６により制御されるマウス１０４、キーボードコントローラ１１７により制御されるキーボード１０３、およびディスプレイコントローラ１１８により制御されるＣＲＴディスプレイ１０２も示されている。
【００３０】
以上説明したコンピュータシステムのＣＤ−ＲＯＭ装填口１０１ｂに、次に説明する本発明の紹介患者仲介プログラムの記憶媒体であるＣＤ−ＲＯＭ７００を装填して、ＣＤ−ＲＯＭ７００に記憶された紹介患者仲介プログラムをインストールすることにより本発明の紹介患者仲介サーバが構築され運用される。
【００３１】
次に、本実施形態の紹介患者仲介プログラムについて説明する。
【００３２】
図３は、本実施形態の紹介患者仲介プログラムの構成図である。
【００３３】
この紹介患者仲介プログラム８００は、通信回線網に接続されたコンピュータを、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作させるものである。
【００３４】
この紹介患者仲介プログラム８００は、紹介元クライアントマシンから送信されてきた、他の医療機関への紹介を希望する紹介希望患者に関する紹介希望患者情報を受け付ける紹介希望患者情報受付部１ａと、紹介希望患者情報受付部１ａにより受け付けられた紹介希望患者情報を受入先クライアントマシンに対して公開する紹介希望患者情報公開部１ｂと、受入先クライアントマシンから送信されてきた、公開された紹介希望患者情報に記述された患者の中から受入を希望する受入希望患者を指定した受入希望患者情報を受け付ける受入希望患者情報受付部１ｃと、受入希望患者情報受付部１ｃにより受け付けられた受入希望患者情報を、複数の紹介元クライアントマシンのうちの、その受入希望患者情報に記述された患者を紹介希望患者とする紹介希望患者情報を送信してきていた紹介元クライアントマシンに向けて通知する受入希望患者情報通知部１ｄとを有している。
【００３５】
さらに、本実施形態の紹介患者仲介プログラム８００には、この紹介患者仲介システムが、上記の受入希望患者情報の通知を受けた紹介元クライアントマシンから送信されてきた、紹介希望患者の受入を表明していた受入先医療機関の中から紹介先の医療機関を指定する紹介先指定情報を受け付ける紹介先指定情報受付部１ｅと、紹介先指定情報受付部１ｅにより受け付けられた紹介先指定情報に記述された医療機関に配備された受入先クライアントマシンに向けて、その紹介先指定情報に記述された患者の紹介状を送信する紹介状送信部１ｆとが備えられている。
【００３６】
これら、紹介希望患者情報受付部１ａ、紹介希望患者情報公開部１ｂ、受入希望患者情報受付部１ｃ、受入希望患者情報通知部１ｄ、紹介先指定情報受付部１ｅ、および紹介状送信部１ｆの動作の詳細については後述する。
【００３７】
図４は、本発明の紹介患者仲介システムの一実施形態を示す概略構成図である。
【００３８】
図４に示すように、この実施形態の紹介患者仲介システムは、患者の紹介元となる複数の紹介元医療機関にそれぞれ配備された複数の紹介元クライアントマシン２と、紹介患者の受入先となる複数の受入先医療機関にそれぞれ配備された受入先クライアントマシン３と、患者によってアクセスされる患者クライアントマシン４と、紹介元クライアントマシン２、受入先クライアントマシン３、および患者クライアントマシン４に通信回線網５、例えばインターネットを介して接続された、患者の紹介を仲介する紹介患者仲介サーバ１とを有している。
【００３９】
紹介患者仲介サーバ１は、紹介元クライアントマシン２から送信されてきた、他の医療機関への紹介を希望する紹介希望患者に関する紹介希望患者情報を受け付ける紹介希望患者情報受付部１ａと、紹介希望患者情報受付部１ａにより受け付けられた紹介希望患者情報を受入先クライアントマシン３に対して公開する紹介希望患者情報公開部１ｂと、受入先クライアントマシン３から送信されてきた、公開された紹介希望患者情報に記述された患者の中から受入を希望する受入希望患者を指定した受入希望患者情報を受け付ける受入希望患者情報受付部１ｃと、受入希望患者情報受付部１ｃにより受け付けられた受入希望患者情報を、複数の紹介元クライアントマシン２のうちの、該受入希望患者情報に記述された患者を紹介希望患者とする紹介希望患者情報を送信してきていた紹介元クライアントマシン２に向けて通知する受入希望患者情報通知部１ｄとを備えている。
【００４０】
さらに、この紹介患者仲介サーバ１は、受入希望患者情報の通知を受けた紹介元クライアントマシン２から送信されてきた、紹介希望患者の受入を表明していた受入先医療機関の中から紹介先の医療機関を指定する紹介先指定情報を受け付ける紹介先指定情報受付部１ｅと、紹介先指定情報受付部１ｅにより受け付けられた紹介先指定情報に記述された医療機関に配備された受入先クライアントマシン３に向けて、その紹介先指定情報に記述された患者の紹介状を送信する紹介状送信部１ｆとを備えている。
【００４１】
また、複数の紹介元クライアントマシン２それぞれは、操作に応じて、他の医療機関への紹介を希望する紹介希望患者に関する紹介希望患者情報を作成して紹介患者仲介サーバ１に送信する紹介希望患者情報作成部２ａと、紹介患者仲介サーバ１から送信されてきた、自分の紹介希望患者に関する受入希望患者情報を受け付ける受入希望患者情報受付部２ｂとを備えている。
【００４２】
また、複数の受入先クライアントマシン３それぞれは、紹介患者仲介サーバ１から送信されてきた紹介希望患者情報を受け付ける紹介希望患者情報受付部３ａと、紹介希望患者情報受付部３ａにより受け付けられた紹介希望患者情報に記述された患者の中から受入を希望する受入希望患者を操作に応じて指定することにより受入希望患者情報を作成して紹介患者仲介サーバ１に送信する受入希望患者情報作成部３ｂとを備えている。
【００４３】
さらに、この紹介患者仲介サーバ１は、患者によってアクセスされる患者クライアントマシン４にも接続されたものであって、紹介希望患者情報受付部は、受入希望患者情報を受け付けるごとに、その受入希望患者情報に記述された患者に固有のＩＤを付して、そのＩＤをその受入希望患者情報を送信してきた紹介元クライアントマシン２に通知するものであり、患者クライアントマシン４からの、患者に固有のＩＤを指定した情報提供要求を受けて、そのＩＤに相当する患者に関する受入希望患者情報をその患者クライアントマシン４に通知するように構成されている。
【００４４】
図５は、図４に示した紹介患者仲介システムのハードウエア構成を示す図である。
【００４５】
図５に示すように、紹介患者仲介サーバ１、紹介元クライアントマシン２、受入先クライアントマシン３、および患者クライアントマシン４は、インターネットなどの通信回線網５を介して相互に接続されており、紹介患者仲介サーバ１には、紹介元および受入先クライアントマシンにＷＷＷページを提供するＷＷＷサーバ１＿１、紹介元および受入先クライアントマシンとの間で送受信を行うメールサーバ１＿２、および上記の紹介希望患者情報、受入希望患者情報などを記憶するデータベース１＿３が備えられている。
【００４６】
また、紹介元クライアントマシン２には、紹介元医療機関における医師等の本紹介患者仲介システムの利用者により操作されるＷＷＷブラウザ２＿１、および紹介患者仲介サーバ１との間で送受信を行うメール受信部２＿２が備えられており、同様に、受入先クライアントマシン３には、受入先医療機関における医師等の本紹介患者仲介システムの利用者により操作されるＷＷＷブラウザ３＿１、および紹介患者仲介サーバ１との間で送受信を行うメール受信部３＿２が備えられている。また、患者クライアントマシン４には、患者本人により操作されるＷＷＷブラウザ４＿１、および紹介患者仲介サーバ１との間で送受信を行うメール受信部４＿２が備えられている。
【００４７】
図６は、本実施形態の紹介患者仲介サーバに備えられたデータベースの構成図である。。
【００４８】
図６に示すように、このデータベース１＿３には、紹介患者データベース１＿３ａ、紹介受入データベース１＿３ｂ、利用者データベース１＿３ｃ、および医療機関データベース１＿３ｄが含まれている。
【００４９】
紹介患者データベース１＿３ａには、他の医療機関への紹介を希望する患者に関する紹介希望患者情報、すなわち、その患者の管理番号、患者氏名、生年月日、性別、住所、傷病名、既往症、症状経過、希望診療科、希望地域、希望診察日、希望設備、利用者ＩＤ、情報登録日、紹介先医療機関番号などが記憶されている。
【００５０】
紹介受入データベース１＿３ｂには、紹介希望患者情報に基づいて作成された受入希望患者情報、すなわち、管理番号、診察可能日、診察可能時間、利用者ＩＤ、情報登録日、本人希望などが記憶されている。
【００５１】
利用者データベース１＿３ｃには、本紹介患者仲介システムの利用者、すなわち、紹介元医療機関および受入先医療機関における医師等の利用者の利用者ＩＤ、パスワード、利用者名、所属、医療機関番号、電話番号、メールアドレスなどが記憶されている。
【００５２】
医療機関データベース１＿３ｄには、紹介元医療機関および受入先医療機関の医療機関番号、医療機関名、代表電話番号、所在地、標榜科、設備、ホームページアドレスなどが記憶されている。
【００５３】
これらの４つのデータベースは、図６に実線で示したように、管理番号、利用者ＩＤ、および医療機関番号により相互に関連付けられている。すなわち、紹介患者データベース１＿３ａと紹介受入データベース１＿３ｂとは管理番号により関連付けられており、紹介患者データベース１＿３ａと紹介受入データベース１＿３ｂと利用者データベース１＿３ｃとは利用者ＩＤにより関連付けられており、利用者データベース１＿３ｃと医療機関データベース１＿３ｄとは医療機関番号により関連付けられている。
【００５４】
次に、本実施形態の紹介患者仲介システムを運用するための紹介患者仲介プログラムの動作について説明する。
【００５５】
図７は、本実施形態の紹介患者仲介プログラムのメニュー画面を示す図である。
【００５６】
図７に示すように、このメニュー画面２０には、紹介元医療機関メニュー２１、受入先医療機関メニュー２２、紹介患者メニュー２３、およびユーザ登録メニュー２４の４つのメニューが表示される。
【００５７】
紹介元医療機関メニュー２１には、紹介患者新規登録ボタン２１ａおよび紹介患者一覧ボタン２１ｂが備えられており、受入先医療機関メニュー２２には、紹介受入待ち患者一覧ボタン２２ａが備えられており、紹介患者メニュー２３には、受入申込状況表示ボタン２３ａが備えられており、ユーザ登録メニュー２４には、新規ユーザ登録ボタン２４ａが備えられている。
【００５８】
このメニュー画面２０は、図４に示した紹介元クライアントマシン２、受入先クライアントマシン３、および患者クライアントマシン４が紹介患者仲介サーバ１に接続された場合に、各クライアントマシンのＷＷＷブラウザ２＿１，３＿１，４＿１（図５参照）に最初に表示される画面である。
【００５９】
この紹介患者仲介システムを利用する紹介元医療機関と受入先医療機関、およびこれら各医療機関における本紹介患者仲介システムの利用者は、予めユーザ登録メニュー２４により新規ユーザ登録を行っておく必要がある。
【００６０】
図８および図９は、新規ユーザ登録処理のフローチャートである。
【００６１】
この新規ユーザ登録処理は、図７に示したユーザ登録メニュー２４の新規ユーザ登録ボタン２４ａを押下することにより開始される。先ず、本システムの利用者の所属する医療機関のクライアントマシンの画面２５（図８参照）上に、その利用者の所属する医療機関の医療機関番号入力域２５ａ（図８参照）を表示する（ステップＳ１１）。医療機関番号入力域２５ａに医療機関番号が入力され、「次へ」ボタン２５ｂが押されると、画面２５から入力された医療機関番号から医療機関データベース１＿３ｄ（図６参照）をアクセスする（ステップＳ１２）。
【００６２】
次に、ステップＳ１２で入力された医療機関番号が医療機関データベース１＿３ｄに登録されているか否かを判定する（ステップＳ１３）。ステップＳ１３における判定の結果、その医療機関番号が医療機関データベース１＿３ｄに登録されていると判定された場合は、医療機関名、所在地、標榜科、設備、ホームページアドレスなどの情報を画面２６上に表示する（ステップＳ１４）。利用者が画面２６に表示された内容２６ａを確認して「次へ」ボタン２６ｂを押す（ステップＳ１５）と、図９に示すようなユーザ登録画面２８を表示する（ステップＳ１９）。このユーザ登録画面２８の、利用者ＩＤ、パスワード、利用者名、所属、電話番号、メールアドレスなどの入力域２８ａにそれぞれ入力が行われ、ユーザ登録画面２８の「登録」ボタン２８ｂが押されると、入力内容を利用者データベース１＿３ｃ（図６参照）に登録し（ステップＳ２０）、処理を終了する。
【００６３】
一方、図８のステップＳ１３における判定の結果、その医療機関番号が医療機関データベース１＿３ｄに登録されていないと判定された場合は、医療機関名、所在地、標榜科、設備、ホームページアドレスなどの情報の入力域２７ａを画面２７上に表示する（ステップＳ１６）。これらの各情報をそれぞれの入力域２７ａに入力した後、「次へ」ボタン２７ｂを押す（ステップＳ１７）と、その時点で、入力内容を医療機関データベース１＿３ｄ（図６参照）に登録する（ステップＳ１８）。次に、図９に示すようなユーザ登録画面２８を表示する（ステップＳ１９）。ユーザ登録画面２８の、利用者ＩＤ、パスワード、利用者名、所属、電話番号、メールアドレスなどの入力域２８ａにそれぞれ入力が行われ、ユーザ登録画面２８の「登録」ボタン２８ｂが押されると入力内容を利用者データベース１＿３ｃ（図６参照）に登録し（ステップＳ２０）、処理を終了する。
【００６４】
こうして、利用者データベース１＿３ｃおよび医療機関データベース１＿３ｄに、必要なデータが登録された状態でこの紹介患者仲介システムによる紹介患者の仲介が行われる。
【００６５】
以下に、本実施形態の紹介患者仲介システムによる一連の紹介患者仲介のプロセスの代表的な例について説明する。
【００６６】
先ず、紹介元クライアントマシン２に備えられた紹介希望患者情報作成部２ａ（図４参照）の動作について説明する。この紹介希望患者情報作成部２ａは、図４に示した紹介元クライアントマシン２の利用者の操作に応じて、他の医療機関への紹介を希望する紹介希望患者に関する紹介希望患者情報を作成し、通信回線網５（図４参照）を介して紹介患者仲介サーバ１に送信する。
【００６７】
図１０は、紹介希望患者情報作成処理のフローチャートである。
【００６８】
この処理は、図７に示した紹介元医療機関メニュー２１の紹介患者新規登録ボタン２１ａを押下することにより開始される。図１０に示すように、先ず利用者ＩＤ入力域２９ａとパスワード入力域２９ｂを画面２９上に表示する（ステップＳ２１）。利用者の操作により利用者ＩＤ入力域２９ａおよびパスワード入力域２９ｂに利用者ＩＤおよびパスワードがそれぞれ入力され、「次へ」ボタン２９ｃが押されると、入力された利用者ＩＤとパスワードとの組合せが利用者データベース１＿３ｃ（図６参照）に存在しているか否かについてのチェックを行い（ステップＳ２２）、入力された利用者ＩＤとパスワードとの組合せが利用者データベース１＿３ｃに存在するか否かを判定する（ステップＳ２３）。ステップＳ２３における判定の結果、入力された利用者ＩＤとパスワードの組合せが利用者データベース１＿３ｃに存在していると判定された場合は、図１０に示したような紹介患者登録画面３０を表示する（ステップＳ２４）。紹介患者登録画面３０には、患者氏名、生年月日、性別、住所、傷病名、既往症、症状経過、希望診療科、希望地域、希望診察日、希望設備などの入力域３０ａが表示されている。
【００６９】
利用者が、これらの入力域３０ａそれぞれに入力を行った後、「登録」ボタン３０ｂが押されると、紹介患者登録画面３０から入力された内容は通信回線網５（図４参照）を介して紹介患者仲介サーバ１に送信される。
【００７０】
紹介患者仲介サーバ１では、紹介希望患者情報受付部１ａ（図４参照）が、送信されてきた紹介希望患者情報を受け付け、紹介患者データベース１＿３ａの管理番号に、未使用の番号を割り当てて（ステップＳ２５）、処理を終了する。
【００７１】
こうして、紹介患者データベース１＿３ａ（図６参照）には、紹介希望患者の管理番号、患者氏名、生年月日、性別、住所、傷病名、既往症、症状経過、希望診療科、希望地域、希望診察日、希望設備、利用者ＩＤ、情報登録日などが格納される。この紹介希望患者情報は、紹介希望患者情報公開部１ｂ（図４参照）により、受入先クライアントマシン３に対して公開される。
【００７２】
一方、図１０のステップＳ２３における判定の結果、入力された利用者ＩＤとパスワードの組合せが利用者データベース１＿３ｃに存在しないと判定された場合は、利用者ＩＤとパスワードの入力エラーを表示し（ステップＳ２６）、処理を終了する。
【００７３】
なお、本実施形態の紹介患者仲介システムにおける紹介患者仲介サーバ１の紹介希望患者情報受付部１ａ（図４参照）は、情報を公開する受入先クライアントマシン３に制限を加える制限情報が付された紹介希望患者情報を受け付けるものであって、紹介患者仲介サーバ１の紹介希望患者情報公開部１ｂ（図４参照）は、その紹介希望患者情報を、その紹介希望患者情報に付された制限情報により許容される受入先クライアントマシン３に対して公開するように構成されている。
【００７４】
ここで、上記の「制限情報」とは、本実施形態の例でいえば、図１０の紹介患者登録画面３０の入力域３０ａで入力される種々の情報のうち、医療機関の所在地、標榜科、設備などの情報をいう。こうすることにより、紹介元医療機関が紹介希望患者情報を作成する時点で、地域、診療科、医療機器の有無等の条件を指定し、指定された条件を満たさない医療機関、すなわち、患者にとって許容されないような受入先医療機関からは紹介希望患者情報を参照できないようにし、受入先として適切な医療機関だけが受入申込を行えるようにすることができる。
【００７５】
次に、受入先クライアントマシン３に備えられた紹介希望患者情報受付部３ａ（図４参照）および受入希望患者情報作成部３ｂ（図４参照）の動作について説明する。
【００７６】
この紹介希望患者情報受付部３ａは、紹介患者仲介サーバ１から送信されてきた紹介希望患者情報を受け付けるものであり、また、受入希望患者情報作成部３ｂは、紹介希望患者情報受付部３ａにより受け付けられた紹介希望患者情報に記述された患者の中から受入を希望する受入希望患者を利用者の操作に応じて指定することにより受入希望患者情報を作成してそれを紹介患者仲介サーバ１に送信する。
【００７７】
図１１および図１２は、受入先クライアントマシンによる紹介希望患者情報受付処理および受入希望患者情報作成処理のフローチャートである。
【００７８】
この処理は、図７に示した受入先医療機関メニュー２２の紹介受入待ち患者一覧ボタン２２ａを押下することにより開始される。図１１に示すように、先ず、利用者ＩＤ入力域３１ａおよびパスワード入力域３１ｂを画面３１上に表示する（ステップＳ３１）。利用者の操作により利用者ＩＤ入力域３１ａおよびパスワード入力域３１ｂに利用者ＩＤおよびパスワードが入力され、「次へ」ボタン３１ｃが押されると、入力された利用者ＩＤとパスワードとの組合せが利用者データベース１＿３ｃ（図６参照）に存在しているか否かのチェックを行い（ステップＳ３２）、判定の結果、入力された利用者ＩＤとパスワードの組合せが利用者データベース１＿３ｃに存在していると判定された場合は、利用者データベース１＿３ｃの医療機関番号から、医療機関番号データベース１＿３ｄ（図６参照）を参照し、その医療機関の所在地、標榜科、設備などの情報を取得する。（ステップＳ３４）。
【００７９】
次に、紹介患者データベース１＿３ａ（図６参照）に登録されている紹介患者情報を１件ずつ読み込み（ステップＳ３５）、紹介元医療機関番号が登録済みか否か。（紹介先が決定済みか否か。）の判定を行い（ステップＳ３６＿１）、判定の結果、登録済みであると判定された場合はステップＳ３５に戻り次の情報の読取に移る。
【００８０】
ステップＳ３６＿１の判定の結果、登録済みでないと判定された場合は、医療機関所在地が希望地域に設定された条件を満たすか否かの判定を行い（ステップＳ３６＿２）、ステップＳ３６＿２の判定の結果、条件を満たさないと判定された場合はステップＳ３５に戻り次の情報の読取に移る。
【００８１】
ステップＳ３６＿２の判定の結果、条件を満たすと判定された場合は標榜科に希望診療科が含まれているか否かの判定を行い（ステップＳ３６＿３）、判定の結果、標榜科に希望診療科が含まれていないと判定された場合はステップＳ３５に戻り次の情報の読取に移る。
【００８２】
ステップＳ３６＿３の判定の結果、標榜科に希望診療科が含まれていると判定された場合は設備に希望設備が含まれているか否かの判定を行い（ステップＳ３６＿４）、判定の結果、希望設備が含まれていないと判定された場合はステップＳ３５に戻り次の情報の読取に移る。
【００８３】
ステップＳ３６＿４の判定の結果、設備に希望設備が含まれていると判定された場合は、図１２に示すように、紹介先が未決定で、かつ指定された条件を満たす紹介患者を、図１２に示す未決定紹介患者一覧画面３２に表示する（ステップＳ３７）。
【００８４】
未決定紹介患者一覧画面３２には、管理番号、生年月日、性別、傷病名、希望診療科、希望診察日などを表示する他に、受入申込ボタン３２ａ、診察日入力欄３２ｂ、診察時間入力欄３２ｃがもうけられており、受入申込を行う場合は、未決定紹介患者一覧画面３２の診察日入力欄３２ｂおよび診察時間入力欄３２ｃに、診察可能日および診察可能時間をそれぞれ入力した上で、受入申込ボタン３２ａをチェックする（ステップＳ３８）。
【００８５】
こうして、紹介希望患者情報に記述された患者の中から受入を希望する受入希望患者を指定することにより受入希望患者情報が作成されて紹介患者仲介サーバ１（図４参照）に送信される。
紹介患者仲介サーバ１の受入希望患者情報受付部１ｃ（図４参照）は、送信されてきた受入希望患者情報を受け付け、紹介受入データベース１＿３ｂ（図６参照）に、その患者の管理番号と、画面から入力された診察可能日、診察可能時間を登録し（ステップＳ３９）、処理を終了する。
【００８６】
こうして、紹介受入データベース１＿３ｂに登録された受入希望患者情報は、受入希望患者情報通知部１ｄ（図４参照）により、複数の紹介元クライアントマシン２のうちの、受入希望患者情報に記述された患者を紹介希望患者とする紹介希望患者情報を送信してきていた紹介元クライアントマシン２に向けて通知される。
【００８７】
一方、図１１のステップＳ３３における判定の結果、入力された利用者ＩＤとパスワードの組合せが利用者データベース１＿３ｃに存在していないと判定された場合は、利用者ＩＤとパスワードの入力エラーを表示し（ステップＳ４０）、処理を終了する。
【００８８】
なお、本実施形態の紹介患者仲介システムにおける紹介患者仲介サーバ１の受入希望患者情報受付部１ｃ（図４参照）は、受入希望患者情報を受け付けるごとに、その受入希望患者情報に記述された患者に固有のＩＤを付して、そのＩＤをその受入希望患者情報を送信してきた紹介元クライアントマシン２に通知するものであり、受入希望患者情報通知部１ｄ（図４参照）は、患者クライアントマシン４からの、上記ＩＤを指定した情報提供要求を受けて、そのＩＤに相当する患者に関する受入希望患者情報をその患者クライアントマシン４に通知するように構成されている。
【００８９】
ここで、上記の「ＩＤ」とは、本実施形態の例でいえば、図６に示した紹介患者データベース１＿３ａおよび紹介受入データベース１＿３ｂの中の「管理番号」に相当するものであり、上記のようにＩＤにより受入希望患者情報を管理することにより、患者本人のみが受入希望患者情報を受け取ることができ、アクセス権のない第三者に対するセキュリティを確立することができる。
【００９０】
次に、患者本人が、希望の医療機関を指定する「本人希望」指定処理ついて説明する。この「本人希望」指定処理は、患者クライアントマシン４に表示される紹介患者メニュー２３により実行される。
【００９１】
図７に示したように、紹介患者メニュー２３には受入申込状況表示ボタン２３ａが備えられており、この受入申込状況表示ボタン２３ａを患者が押下することにより次の処理が行われる。ここで、本実施形態では、図４に示したように、紹介患者仲介サーバ１は、患者によってアクセスされる患者クライアントマシン４にも接続されており、前記の紹介希望患者情報受付部１ａは、受入希望患者情報を受け付けるごとに、その受入希望患者情報に記述された患者に固有のＩＤを付して、そのＩＤを、その受入希望患者情報を送信してきた紹介元クライアントマシン２に通知するものであり、かつ、上記の患者クライアントマシン４からの、上記ＩＤを指定した情報提供要求を受けて、そのＩＤに相当する患者に関する受入希望患者情報をその患者クライアントマシン４に通知する機能を備えている。
【００９２】
紹介患者本人は、上記の受入希望患者情報の患者クライアントマシン４に通知された受入申込状況を知ることにより、受入希望患者情報に、紹介患者本人が希望する紹介先医療機関を指定することができる。
【００９３】
図１３および図１４は、患者本人の操作に基づく本人希望医療機関指定処理のフローチャートである。
【００９４】
この処理は、紹介患者本人が、受入申込の状況を確認し、複数の受入申込がある場合に、紹介患者本人が希望する紹介先を指定するものである。
【００９５】
図７に示した紹介患者メニュー２３の受入申込状況表示ボタン２３ａが患者により押下されると、図１３に示すように、先ず、患者クライアントマシン４の画面３３に管理番号入力域３３ａを表示する（ステップＳ４１）。患者は、紹介元の医療機関が紹介情報を登録した際に発番された管理番号を、この管理番号入力域３３ａに入力する（ステップＳ４１）。患者により「次へ」ボタン３３ｂが押されると、画面から入力された管理番号が、紹介患者データベース１＿３ａ（図６参照）に存在しているか否かのチェックを行い（ステップＳ４２）、入力された管理番号が紹介患者データベース１＿３ａに存在するか否かの判定を行う（ステップＳ４３）。判定の結果、入力された管理番号が紹介患者データベース１＿３ａに存在すると判定された場合は、入力された管理番号が、紹介受入データベース１＿３ｂ（図６参照）に存在しているか否かの判定を行う（ステップＳ４４）。判定の結果、紹介受入データベース１＿３ｂに、入力された管理番号のデータが存在すると判定された場合は、紹介受入データベース１＿３ｂの利用者ＩＤから、利用者データベース１＿３ｃ（図６参照）を参照し医療機関番号を取得する（ステップＳ４５）。次に、その医療機関番号から、医療機関番号データベース１＿３ｄ（図６参照）を参照し、画面３４に示すように、その医療機関名、所在地、標榜科、診察可能日、診察時間、ホームページアドレス、および本人希望ボタンなどの情報を表示する。（ステップＳ４６）。
【００９６】
次に、図１４に示すように、表示された医療機関のうちに、本人が紹介先として希望する医療機関がある場合にはその医療機関の本人希望ボタンにチェックを入れる（ステップＳ４７）。本人希望ボタンにチェックが入れられた場合には、選択された医療機関から入力された紹介受入データベース１＿３ｂの「本人希望」欄にフラグの設定を行い（ステップＳ４８）、処理を終了する。
【００９７】
一方、図１３のステップＳ４３における判定の結果、紹介患者データベース１＿３ａに、入力された管理番号が存在しないと判定された場合は、入力された管理番号が入力エラーであることを表示し（ステップＳ４９）、処理を終了する。
【００９８】
また、図１３のステップＳ４４における判定の結果、紹介受入データベース１＿３ｂに、入力された管理番号のデータが存在しないと判定された場合は、「医療機関からの受入申込は、まだありません」のメッセージを表示し（ステップＳ５０）、処理を終了する。
【００９９】
次に、紹介元医療機関が、登録した紹介患者に受入申込があったか否かを確認し、最終的に紹介先を決定する受入希望患者情報受付部の動作について説明する。
【０１００】
図１５および図１６は、紹介元医療機関の利用者の操作による紹介先決定処理のフローチャートである。
【０１０１】
この紹介先決定処理には、紹介元クライアントマシン２（図４参照）に備えられた受入希望患者情報受付部２ｂと、紹介患者仲介サーバ１（図４参照）に備えられた紹介先指定情報受付部１ｅ、および紹介状送信部１ｆとが関与している。
【０１０２】
この紹介先決定処理は、図７に示した紹介元医療機関メニュー２１の紹介患者一覧ボタン２１ｂを押下することにより開始される。先ず、図１５に示すように、画面３５上に利用者ＩＤ入力域３５ａおよびパスワード入力域３５ｂを表示する（ステップＳ５１）。利用者により利用者ＩＤ入力域３５ａとパスワード入力域３５ｂに利用者ＩＤおよびパスワードがそれぞれ入力され、「次へ」ボタン３５ｃが押されると、入力された利用者ＩＤとパスワードとの組合せが利用者データベース１＿３ｃ（図６参照）に存在しているか否かのチェックを行い（ステップＳ５２）、利用者データベース１＿３ｃに、入力された利用者ＩＤとパスワードの組合せが存在するか否かの判定が行われる（ステップＳ５３）。
ステップＳ５３における判定の結果、入力された利用者ＩＤとパスワードの組合せが利用者データベース１＿３ｃに存在していると判定された場合は、紹介患者データベース１＿３ａ（図６参照）に登録されている紹介患者情報を１件ずつ読み込み（ステップＳ５４）、利用者ＩＤが一致する情報のみを選択し（ステップＳ５５）、次に、紹介患者データベース１＿３ａの紹介先医療機関番号が登録されているか否かが判定され（ステップＳ５６）、ステップＳ５６における判定の結果、紹介先医療機関番号が登録されていないと判定された場合は、紹介受入データベース１＿３ｂに受入申込があるか否かが判定され（ステップＳ５７）、ステップＳ５７における判定の結果、受入申込があると判定された場合は、受入申込があった医療機関名、診察可能日、診察可能時間等を紹介患者一覧画面３６（図１６参照）に表示する（ステップＳ５８）。次に、本人希望フラグが設定されていると判定された場合には、紹介患者一覧画面３６の「本人希望」欄３６ａに「あり」と表示する（ステップＳ５９）。次に、図１６に示すように、紹介患者一覧画面３６には「決定」ボタン３６ｂを表示し、利用者の操作により受入先医療機関を決定できるようにする（ステップＳ６０）。こうして紹介患者一覧画面３６が表示され（ステップＳ６１）、管理番号、氏名、傷病名、受入申込医療機関、診察可能日、診察時間、「本人希望」欄、および「決定」ボタンが表示される。
【０１０３】
紹介患者一覧画面３６の「決定」ボタン３６ｂが押されると、紹介患者仲介サーバ１の紹介先指定情報受付部１ｅ（図４参照）は、紹介元クライアントマシン２から送られてきた紹介先の医療機関を指定する紹介先指定情報を受け付け、紹介患者データベース１＿３ａの紹介先医療機関番号をセットして紹介希望患者情報を更新する（ステップＳ６２）。次に、紹介患者仲介サーバ１の紹介先指定情報送信部１ｆ（図４参照）は、紹介先指定情報受付部１ｅにより受け付けられた紹介先指定情報に記述された医療機関に配備された受入先クライアントマシンに向けて、その紹介先指定情報に記述された患者の紹介状を自動的に作成し、電子メール等により、紹介状受入の申込を行った利用者宛に送付し（ステップＳ６３）、一連の紹介患者仲介処理が終了する。
【０１０４】
一方、図１５のステップＳ５３における判定の結果、入力された利用者ＩＤとパスワードの組合せが利用者データベース１＿３ｃに存在していないと判定された場合は、利用者ＩＤとパスワードの入力エラーを表示し（ステップＳ６４）、処理を終了する。
【０１０５】
また、図１５のステップＳ５６における判定の結果、紹介先医療機関番号が登録されていると判定された場合は、紹介患者一覧画面３６の「決定」欄に「済」と表示し、紹介先医療機関名、診察可能日等を表示し（ステップＳ６５）、処理を終了する。
【０１０６】
また、図１５のステップＳ５７における判定の結果、紹介受入データベースに受入申込がないと判定された場合は、紹介患者一覧画面３６の「受入申込医療機関」に「なし」と表示し（ステップＳ６６）、処理を終了する。
【０１０７】
（付記１）  患者の紹介元となる複数の紹介元医療機関にそれぞれ配備された複数の紹介元クライアントマシンと、
紹介患者の受入先となる複数の受入先医療機関にそれぞれ配備された複数の受入先クライアントマシンと、
前記複数の紹介元クライアントマシンおよび前記複数の受入先クライアントマシンに通信回線網を介して接続された、患者の紹介を仲介する紹介患者仲介サーバとを有し、
前記紹介患者仲介サーバは、
前記紹介元クライアントマシンから送信されてきた、他の医療機関への紹介を希望する紹介希望患者に関する紹介希望患者情報を受け付ける紹介希望患者情報受付部と、
前記紹介希望患者情報受付部により受け付けられた紹介希望患者情報を受入先クライアントマシンに対して公開する紹介希望患者情報公開部と、
前記受入先クライアントマシンから送信されてきた、公開された紹介希望患者情報に記述された患者の中から受入を希望する受入希望患者を指定した受入希望患者情報を受け付ける受入希望患者情報受付部と、
前記受入希望患者情報受付部により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知部とを備え、
前記複数の紹介元クライアントマシンそれぞれは、
操作に応じて、他の医療機関への紹介を希望する紹介希望患者に関する紹介希望患者情報を作成して前記紹介患者仲介サーバに送信する紹介希望患者情報作成部と、
前記紹介患者仲介サーバから送信されてきた、自分の紹介希望患者に関する前記受入希望患者情報を受け付ける受入希望患者情報受付部とを備え、
前記複数の受入先クライアントマシンそれぞれは、
前記紹介患者仲介サーバから送信されてきた紹介希望患者情報を受け付ける紹介希望患者情報受付部と、
前記紹介希望患者情報受付部により受け付けられた紹介希望患者情報に記述された患者の中から受入を希望する受入希望患者を操作に応じて指定することにより受入希望患者情報を作成して前記紹介患者仲介サーバに送信する受入希望患者情報作成部とを備えたことを特徴とする紹介患者仲介システム。
【０１０８】
（付記２）  通信回線網を介して、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバにおいて、
前記紹介元クライアントマシンから送信されてきた、他の医療機関への紹介を希望する紹介希望患者に関する紹介希望患者情報を受け付ける紹介希望患者情報受付部と、
前記紹介希望患者情報受付部により受け付けられた紹介希望患者情報を受入先クライアントマシンに対して公開する紹介希望患者情報公開部と、
前記受入先クライアントマシンから送信されてきた、公開された紹介希望患者情報に記述された患者の中から受入を希望する受入希望患者を指定した受入希望患者情報を受け付ける受入希望患者情報受付部と、
前記受入希望患者情報受付部により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知部とを備えたことを特徴とする紹介患者仲介サーバ。
【０１０９】
（付記３）  前記紹介希望患者情報受付部は、情報を公開する受入先クライアントマシンに制限を加える制限情報が付された紹介希望患者情報を受け付けるものであって、
前記紹介希望患者情報公開部は、該紹介希望患者情報を、該紹介希望患者情報に付された制限情報により許容される受入先クライアントマシンに対して公開するものであることを特徴とする付記２記載の紹介患者仲介サーバ。
【０１１０】
（付記４）  前記紹介患者仲介サーバは、患者によってアクセスされる患者クライアントマシンにも接続されたものであって、
前記受入希望患者情報受付部は、受入希望患者情報を受け付けるごとに、該受入希望患者情報に記述された患者に固有のＩＤを付して、該ＩＤを該受入希望患者情報を送信してきた紹介元クライアントマシンに通知するものであり、
前記受入希望患者情報通知部は、前記患者クライアントマシンからの、前記ＩＤを指定した情報提供要求を受けて、該ＩＤに相当する患者に関する受入希望患者情報を該患者クライアントマシンに通知するものであることを特徴とする付記２記載の紹介患者仲介サーバ。
【０１１１】
（付記５）  前記受入希望患者情報の通知を受けた紹介元クライアントマシンから送信されてきた、紹介希望患者の受入を表明していた受入先医療機関の中から紹介先の医療機関を指定する紹介先指定情報を受け付ける紹介先指定情報受付部と、
前記紹介先指定情報受付部により受け付けられた紹介先指定情報に記述された医療機関に配備された受入先クライアントマシンに向けて、該紹介先指定情報に記述された患者の紹介状を送信する紹介状送信部とを、さらに備えたことを特徴とする付記２記載の紹介患者仲介サーバ。
【０１１２】
（付記６）  通信回線網に接続されたコンピュータを、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンとに接続された、患者の紹介を仲介する紹介患者仲介サーバとして動作させる紹介患者仲介プログラムであって、
前記紹介患者仲介プログラムが、
前記紹介元クライアントマシンから送信されてきた、他の医療機関への紹介を希望する紹介希望患者に関する紹介希望患者情報を受け付ける紹介希望患者情報受付部と、
前記紹介希望患者情報受付部により受け付けられた紹介希望患者情報を受入先クライアントマシンに対して公開する紹介希望患者情報公開部と、
前記受入先クライアントマシンから送信されてきた、公開された紹介希望患者情報に記述された患者の中から受入を希望する受入希望患者を指定した受入希望患者情報を受け付ける受入希望患者情報受付部と、
前記受入希望患者情報受付部により受け付けられた受入希望患者情報を、前記複数の紹介元クライアントマシンのうちの、該受入希望患者情報に記述された患者を紹介希望患者とする紹介希望患者情報を送信してきていた紹介元クライアントマシンに向けて通知する受入希望患者情報通知部とを有するものであることを特徴とする紹介患者仲介プログラム。
【０１１３】
【発明の効果】
以上、説明したように、本発明の紹介患者仲介システムによれば、患者の紹介元となる複数の紹介元医療機関にそれぞれ配備された複数の紹介元クライアントマシンと、紹介患者の受入先となる複数の受入先医療機関にそれぞれ配備された複数の受入先クライアントマシンと、上記複数の紹介元クライアントマシンおよび上記複数の受入先クライアントマシンに通信回線網を介して接続された、患者の紹介を仲介する紹介患者仲介サーバとを有し、上記紹介患者仲介サーバは、紹介元クライアントマシンから送信されてきた紹介希望患者情報を受け付ける紹介希望患者情報受付部と、その紹介希望患者情報を受入先クライアントマシンに対して公開する紹介希望患者情報公開部と、受入先クライアントマシンから送信されてきた受入希望患者情報を受け付ける受入希望患者情報受付部と、その受入希望患者情報を、受入希望患者情報に記述された患者を紹介希望患者とする紹介希望患者情報を送信してきていた紹介元クライアントマシンに向けて通知する受入希望患者情報通知部とを備え、上記複数の紹介元クライアントマシンそれぞれは、操作に応じて紹介希望患者情報を作成して上記紹介患者仲介サーバに送信する紹介希望患者情報作成部と、紹介患者仲介サーバから送信されてきた受入希望患者情報を受け付ける受入希望患者情報受付部とを備え、上記複数の受入先クライアントマシンそれぞれは、上記紹介患者仲介サーバから送信されてきた紹介希望患者情報を受け付ける紹介希望患者情報受付部と、その紹介希望患者情報に記述された患者の中から受入を希望する受入希望患者を操作に応じて指定することにより受入希望患者情報を作成して上記紹介患者仲介サーバに送信する受入希望患者情報作成部とを備えたことにより、紹介元医療機関から受入先医療機関に迅速かつ低コストで患者を紹介することのできる紹介患者仲介システムを実現することができる。
【０１１４】
また、以上説明した本発明の紹介患者仲介サーバによれば、通信回線網を介して、複数の紹介元クライアントマシンと、複数の受入先クライアントマシンとに接続された紹介患者仲介サーバにおいて、紹介元クライアントマシンから送信されてきた紹介希望患者情報を受け付ける紹介希望患者情報受付部と、その紹介希望患者情報を受入先クライアントマシンに対して公開する紹介希望患者情報公開部と、受入先クライアントマシンから送信されてきた受入希望患者情報を受け付ける受入希望患者情報受付部と、その受入希望患者情報を、受入希望患者情報に記述された患者を紹介希望患者とする紹介希望患者情報を送信してきていた紹介元クライアントマシンに向けて通知する受入希望患者情報通知部とを備えたことにより、紹介元医療機関から受入先医療機関に迅速かつ低コストで患者を紹介することのできる紹介患者仲介サーバを実現することができる。
【０１１５】
また、上記紹介希望患者情報受付部は、情報を公開する受入先クライアントマシンに制限を加える制限情報が付された紹介希望患者情報を受け付けるように、上記紹介希望患者情報公開部は、その紹介希望患者情報を、紹介希望患者情報に付された制限情報により許容される受入先クライアントマシンに対して公開するようにした場合は、最適な受入先が選択され、かつ複数の受入先から受入の申込みがあった場合には、その中から最も条件が良い受入先を選択することも可能である。
【０１１６】
また、紹介患者仲介サーバが、患者によってアクセスされる患者クライアントマシンにも接続されたものであり、受入希望患者情報受付部が、受入希望患者情報を受け付けるごとに、受入希望患者情報に記述された患者に固有のＩＤを付して、そのＩＤを受入希望患者情報を送信してきた紹介元クライアントマシンに通知するものであり、かつ、受入希望患者情報通知部が、患者クライアントマシンからの、上記ＩＤを指定した情報提供要求を受けて、そのＩＤに相当する患者に関する受入希望患者情報をその患者クライアントマシンに通知するようにした場合は、紹介患者本人が、受入先候補となっている医療機関を知ることができ、かつ患者本人の希望を反映させることができる。
【０１１７】
さらに、上記紹介患者仲介サーバが、受入希望患者情報の通知を受けた紹介元クライアントマシンから送信されてきた、紹介希望患者の受入を表明していた受入先医療機関の中から紹介先の医療機関を指定する紹介先指定情報を受け付ける紹介先指定情報受付部と、上記紹介先指定情報受付部により受け付けられた紹介先指定情報に記述された医療機関に配備された受入先クライアントマシンに向けて、その紹介先指定情報に記述された患者の紹介状を送信する紹介状送信部とを備えた場合は、紹介元医療機関は受入先医療機関に対して安全確実に紹介状を送信することができる。
【０１１８】
また、本発明の紹介患者仲介プログラムによれば、紹介元医療機関から受入先医療機関に迅速かつ低コストで患者を紹介することのできる紹介患者仲介サーバを容易にコンピュータシステム上に形成することができる。
【図面の簡単な説明】
【図１】本実施形態の紹介患者仲介システムを運用するためのコンピュータシステムの一部分を示す図である。
【図２】図１に示した外観を有する紹介患者仲介システム（コンピュータシステム）のハードウェア構成図である。
【図３】本実施形態の紹介患者仲介プログラムの構成図である。
【図４】本発明の紹介患者仲介システムの一実施形態を示す概略構成図である。
【図５】図４に示した紹介患者仲介システムのハードウエア構成を示す図である。
【図６】本実施形態の紹介患者仲介サーバに備えられたデータベースの構成図である。。
【図７】本実施形態の紹介患者仲介プログラムのメニュー画面を示す図である。
【図８】新規ユーザ登録処理のフローチャートである。
【図９】新規ユーザ登録処理のフローチャートである。
【図１０】紹介希望患者情報作成処理のフローチャートである。
【図１１】受入先クライアントマシンによる紹介希望患者情報受付処理および受入希望患者情報作成処理のフローチャートである。
【図１２】受入先クライアントマシンによる紹介希望患者情報受付処理および受入希望患者情報作成処理のフローチャートである。
【図１３】患者本人の操作に基づく受入申込状況表示処理のフローチャートである。
【図１４】患者本人の操作に基づく受入申込状況表示処理のフローチャートである。
【図１５】紹介元医療機関の利用者の操作による紹介先決定処理のフローチャートである。
【図１６】紹介元医療機関の利用者の操作による紹介先決定処理のフローチャートである。
【符号の説明】
１    紹介患者仲介サーバ
１ａ    紹介希望患者情報受付部
１ｂ    紹介希望患者情報公開部
１ｃ    受入希望患者情報受付部
１ｄ    受入希望患者情報通知部
１ｅ    紹介先指定情報受付部
１ｆ    紹介状送信部
１＿１    ＷＷＷサーバ
１＿２    メールサーバ
１＿３    データベース
１＿３ａ    紹介患者データベース
１＿３ｂ    紹介受入データベース
１＿３ｃ    利用者データベース
１＿３ｄ    医療機関データベース
２    紹介元クライアントマシン
２ａ    紹介希望患者情報作成部
２ｂ    受入希望患者情報受付部
２＿１    ＷＷＷブラウザ
２＿２    メール受信部
３    受入先クライアントマシン
３ａ    紹介希望患者情報受付部
３ｂ    受入希望患者情報作成部
３＿１    ＷＷＷブラウザ
３＿２    メール受信部
４    患者クライアントマシン
４＿１    ＷＷＷブラウザ
４＿２    メール受信部
５    通信回線網
２０    メニュー画面
２１    紹介元医療機関メニュー
２１ａ    紹介患者新規登録ボタン
２１ｂ    紹介患者一覧ボタン
２２    受入先医療機関メニュー
２２ａ    紹介受入待ち患者一覧ボタン
２３    紹介患者メニュー
２３ａ    受入申込状況表示ボタン
２４    ユーザ登録メニュー
２４ａ    新規ユーザ登録ボタン
２５，２６    画面
２５ａ    医療機関番号入力域
２５ｂ    「次へ」ボタン
２６ａ    内容
２６ｂ    「次へ」ボタン
２７    画面
２７ａ    入力域
２７ｂ    「次へ」ボタン
２８    ユーザ登録画面
２８ａ入力域
２８ｂ    「登録」ボタン
２９    画面
２９ａ    利用者ＩＤ入力域
２９ｂ    パスワード入力域
３０    紹介患者登録画面
３０ａ    入力域
３０ｂ    「登録」ボタン
３１    画面
３１ａ    利用者ＩＤ入力域
３１ｂ    パスワード入力域
３２    未決定紹介患者一覧画面
３２ａ    受入申込ボタン
３２ｂ    診察日入力欄
３２ｃ    診察時間入力欄
３３    画面
３３ａ    管理番号入力域
３３ｂ    「次へ」ボタン
３４    画面
３５    画面
３５ａ    利用者ＩＤ入力域
３５ｂ    パスワード入力域
３６    紹介患者一覧画面
３６ａ    「本人希望」欄
３６ｂ    「決定」ボタン（「決定」欄）
１００    サーバマシン
１０１，３０１，４０１，５０１    本体部
１０１ａ，３０１ａ，４０１ａ，５０１ａ    フロッピィディスク装填口
１０１ｂ，３０１ｂ，４０１ｂ，５０１ｂ    ＣＤ−ＲＯＭ装填口
１０２，３０２，４０２，５０２    表示部（ＣＲＴディスプレイ）
１０２ａ，３０２ａ，４０２ａ，５０２ａ    表示画面
１０３，３０３，４０３，５０３    キーボード
１０４，３０４，４０４，５０４    マウス
１１０    バス
１１１    ＣＰＵ
１１２    ＲＡＭ
１１３    ハードディスクコントローラ
１１４    フロッピィディスクドライバ
１１５    ＣＤ−ＲＯＭドライバ
１１６    マウスコントローラ
１１７    キーボードコントローラ
１１８    ディスプレイコントローラ
１１９    通信用ボード
１２０    ハードディスク
３００，４００，５００    クライアントマシン
６００    通信回線網
７００    ＣＤ−ＲＯＭ
７１０    フロッピィディスク
８００    紹介患者仲介プログラム
【図１】
0003892671.tif 000002
【図２】
0003892671.tif 000003
【図３】
0003892671.tif 000004
【図４】
0003892671.tif 000005
【図５】
0003892671.tif 000006
【図６】
0003892671.tif 000007
【図７】
0003892671.tif 000008
【図８】
0003892671.tif 000009
【図９】
0003892671.tif 000010
【図１０】
0003892671.tif 000011
【図１１】
0003892671.tif 000012
【図１２】
0003892671.tif 000013
【図１３】
0003892671.tif 000014
【図１４】
0003892671.tif 000015
【図１５】
0003892671.tif 000016
【図１６】
0003892671.tif 000017